(57)【要約】【課題】測定結果データの消失や、測定作業の重複などを招くことなく、同じ測定対象についての測定作業時における作業者の負担を軽減する。【解決手段】処理部２６が、撮像データＤ２の画像内における測定対象像が指定されて測定対象に関連付けられたときに、画像内における測定対象像の位置を測定対象に関連付けた測定対象管理用データＤ１を生成してデータＤ２と共にテンプレートデータとして記憶させる第１の処理と、テンプレートデータを読み出してデータＤ２の画像を表示させると共に、画像内における各測定対象像の位置をデータＤ１に基づいて特定し、かつ測定対象識別用表示を測定対象像に対応させて表示させる第２の処理と、いずれかの測定対象像が指定されている状態で測定値データＤ０を取得したときに、測定対象像の測定対象に測定値を対応させた測定結果データＤ３を生成してデータＤ１，Ｄ２と共に記憶させる第３の処理とを実行する。【選択図】図１
2020034365.tif 000002
【特許請求の範囲】
【請求項１】
測定対象を示す測定対象像が複数の当該測定対象のそれぞれの位置に対応して並んでいる画像の画像データを記憶する記憶部と、
前記各測定対象についての測定値が記録された測定値データを取得して測定結果データを生成して前記記憶部に記憶させる処理部とを備え、
前記処理部は、前記画像データに基づく前記画像を表示部に表示させると共に、表示させた前記画像内のいずれかの前記測定対象像が指定されていずれかの前記測定対象に関連付けられたときに、指定された当該測定対象像の当該画像内における位置を当該いずれかの測定対象に関連付けた関連付けデータを生成して前記画像データと共にテンプレートデータとして前記記憶部に記憶させる第１の処理と、
予め規定された表示開始条件が満たされたときに前記テンプレートデータを前記記憶部から読み出して当該テンプレートデータの前記画像データに基づく前記画像を前記表示部に表示させると共に、少なくとも前記測定値データの取得が完了していない前記測定対象に対応する前記測定対象像の前記画像内における位置を前記テンプレートデータの前記関連付けデータに基づいて特定し、特定した位置の当該測定対象像を識別可能な測定対象識別用表示を当該特定した位置の測定対象像に対応させて前記画像と共に前記表示部に表示させる第２の処理と、
前記第２の処理によって表示させた前記画像内のいずれかの前記測定対象像が指定されている状態において前記測定値データを取得したときに、取得した当該測定値データに記録されている測定値を指定されている当該測定対象像の前記測定対象に対応させた前記測定結果データを生成して前記画像データおよび前記関連付けデータと共に前記記憶部に記憶させる第３の処理とを実行可能に構成されている測定データ処理装置。
【請求項２】
前記処理部は、前記第１の処理において、前記各測定対象についての測定条件が指定されたときに、指定された当該測定条件を特定可能な測定条件データを生成して前記関連付けデータおよび前記画像データと共に前記テンプレートデータとして前記記憶部に記憶させると共に、前記第３の処理において、前記取得した測定値データが当該測定値データに対応する前記測定対象についての前記測定条件データの前記測定条件を満たしているか否かを判別し、満たしていないときに予め規定された第４の処理を実行する請求項１記載の測定データ処理装置。
【請求項３】
前記処理部は、前記第４の処理において、前記取得した測定値データが前記測定条件を満たしていないことを特定可能に報知する請求項２記載の測定データ処理装置。
【請求項４】
前記処理部は、前記第４の処理において、前記取得した測定値データに記録されている測定値を前記測定結果データとして前記記憶部に記憶させずに破棄する請求項２または３記載の測定データ処理装置。
【請求項５】
前記各測定対象を撮像して撮像データを出力する撮像部を備え、
前記処理部は、前記第１の処理に先立ち、前記撮像部から出力された前記撮像データを前記画像データとして取得する請求項１から４のいずれかに記載の測定データ処理装置。
【請求項６】
前記各測定対象についての測定処理を実行して前記測定値データを生成可能に構成された測定装置と、請求項１から５のいずれかに記載の測定データ処理装置とを備えて構成されている測定システム。
【請求項７】
測定対象を示す測定対象像が複数の当該測定対象のそれぞれの位置に対応して並んでいる画像の画像データを記憶する記憶部と、前記各測定対象についての測定値が記録された測定値データを取得して測定結果データを生成して前記記憶部に記憶させる処理部とを備えた測定データ処理装置の当該処理部に対して、
前記画像データに基づく前記画像を表示部に表示させると共に、表示させた前記画像内のいずれかの前記測定対象像が指定されていずれかの前記測定対象に関連付けられたときに、指定された当該測定対象像の当該画像内における位置を当該いずれかの測定対象に関連付けた関連付けデータを生成して前記画像データと共にテンプレートデータとして前記記憶部に記憶させる第１の処理と、
予め規定された表示開始条件が満たされたときに前記テンプレートデータを前記記憶部から読み出して当該テンプレートデータの前記画像データに基づく前記画像を前記表示部に表示させると共に、少なくとも前記測定値データの取得が完了していない前記測定対象に対応する前記測定対象像の前記画像内における位置を前記テンプレートデータの前記関連付けデータに基づいて特定し、特定した位置の当該測定対象像を識別可能な測定対象識別用表示を当該特定した位置の測定対象像に対応させて前記画像と共に前記表示部に表示させる第２の処理と、
前記第２の処理によって表示させた前記画像内のいずれかの前記測定対象像が指定されている状態において前記測定値データを取得したときに、取得した当該測定値データに記録されている測定値を指定されている当該測定対象像の前記測定対象に対応させた前記測定結果データを生成して前記画像データおよび前記関連付けデータと共に前記記憶部に記憶させる第３の処理とを実行させる測定データ処理用プログラム。
【請求項８】
前記処理部に対して、前記第１の処理において、前記各測定対象についての測定条件が指定されたときに、指定された当該測定条件を特定可能な測定条件データを生成して前記関連付けデータおよび前記画像データと共に前記テンプレートデータとして前記記憶部に記憶させると共に、前記第３の処理において、前記取得した測定値データが当該測定値データに対応する前記測定対象についての前記測定条件データの前記測定条件を満たしているか否かを判別し、満たしていないときに予め規定された第４の処理を実行させる請求項７記載の測定データ処理用プログラム。
【発明の詳細な説明】
【技術分野】
【０００１】
本発明は、測定対象についての測定値が記録された測定値データを取得して測定結果データを生成して記憶部に記憶させる処理部を備えた測定データ処理装置、そのような測定データ処理装置を備えて構成された測定システム、および測定値データを取得して測定結果データを生成して記憶部に記憶させる処理を測定データ処理装置の処理部に実行させる測定データ処理用プログラムに関するものである。
【背景技術】
【０００２】
出願人は、測定対象についての各種電気的パラメータを測定可能な測定装置と、測定装置から取得した測定値データについての各種データ処理を実行可能な携帯情報端末と、携帯端末装置によってデータ処理された測定結果データを保管するデータサーバとを備えて構成された測定システムを下記の特許文献に開示している。この場合、上記の携帯端末装置には、データ処理の手順が記録された測定データ処理用プログラムがインストールされている。
【０００３】
この測定システムを用いた測定処理に際しては、まず、携帯情報端末において測定データ処理用プログラムを起動させ、測定対象（例えば、配電盤のブレーカ）を撮像する。次いで、後述の測定作業時に使用する測定作業支援画面を表示させて、撮像した画像を画面内に表示させた状態において、各測定対象についての測定順序を指定する。具体的には、画像内の各ブレーカの像の上に、「測定順序＝１番目」を示すマーカー、「測定順序＝２番目」を示すマーカー・・をそれぞれ配置することにより、各ブレーカの像に対応する測定対象（ブレーカ）について何番目の測定順序で測定処理を行うかを特定可能とする。なお、実際の作業時には、測定対象の名称や備考情報などを入力するが、これらに関する説明を省略する。
【０００４】
一方、測定作業の開始時には、まず、測定装置の電源を投入して所望の測定モードに切り替えると共に、携帯情報端末において測定作業支援画面を、測定値を入力する画面に表示替えさせる。この際に、携帯情報端末では、測定装置から測定値データが送信されたか否かの監視が開始されると共に、「測定順序＝１番目」を示すマーカーが点滅表示され、かつ「(１)についての測定作業を開始して下さい。」とのメッセージの表示、および同様の音声メッセージの出力が行われる。これにより、支援画面内で点滅表示されているマーカーがいずれのブレーカの像に重なっているかに基づき、最初に測定作業をすべき測定対象がどの測定対象であるかを確実かつ容易に特定することが可能となる。
【０００５】
次いで、点滅表示されているマーカーが重ねられた像のブレーカに測定装置を接触させて測定処理を実行させる。この際には、測定装置において測定結果を示す測定値データが生成され、生成された測定値データが携帯情報端末に送信される。また、携帯情報端末では、処理部が、１番目の測定対象（ブレーカ）についての測定値の取得が完了したと判別し、送信された測定値データに記録されている測定値を支援画面の対応する測定値欄に数値入力して測定結果データを更新する。また、処理部は、「測定順序＝２番目」を示すマーカーを点滅表示させると共に、次の測定対象（ブレーカ）についての測定作業の開始を要求するメッセージの表示、および同様の音声メッセージの出力を実行した後に、測定装置からの次の測定値データが送信されたか否かの監視を開始する。
【０００６】
これにより、１番目の測定対象のときと同様にして２番目の測定対象についての測定値データが携帯端末装置に送信されたときに、その値が支援画面の対応する測定値欄に数値入力されて測定結果データが更新する。また、３番目以降の各測定対象についても、１番目の測定対象および２番目の測定対象についての測定作業時と同様の手順で測定作業が実行されて、その測定値が支援画面の対応する測定値欄に数値入力されて測定結果データが更新される。さらに、すべての測定対象についての測定作業が完了して測定結果データが更新されたときには、測定値の記録が完了した旨を報知するメッセージが表示される。これにより、各測定対象についての各測定値が記録された測定結果データが携帯情報端末の記憶部に記憶された状態となり、一連の測定作業が終了する。
【先行技術文献】
【特許文献】
【０００７】
【特許文献１】特開２０１６−１６６７６１公報（第１１−２７頁、第１−１５図）
【発明の概要】
【発明が解決しようとする課題】
【０００８】
ところが、出願人が開示している測定システムには、以下の改善すべき課題が存在する。具体的には、出願人が開示している測定システムでは、測定処理を実施する現場において測定対象を携帯情報端末によって撮像し、測定作業支援画面内の各測定対象の像に対応させて各測定対象についての測定順序を設定した後に、設定した測定順序で測定装置による各測定対象についての測定作業を実施することで、測定装置から送信される測定値データに記録されている測定値が記録された測定結果データが携帯情報端末において生成される構成が採用されている。
【０００９】
この場合、この種の測定システムの用途として、同じ測定対象についての測定作業を定期的に繰り返し実行するといった用途が存在する。このような用途での使用に際しては、作業を行う都度、携帯情報端末を操作して、測定対象の撮像、測定順序の指定、および測定対象名等の入力などを行う必要があり、測定装置による測定作業を開始する前のこれらの準備作業が煩雑となっている。このため、この点を改善するのが好ましい。
【００１０】
なお、同じ測定対象についての２回目以降の作業時に、過去の作業時に生成した測定結果データを読み出して測定値等を新たな値に上書きすることにより、上記のような準備作業を行わずに新たな測定結果データを生成することもできる。しかしながら、過去に生成した測定結果データを読み出して新たな測定値を上書きする使用方法では、読み出した測定結果データをリネームせずに上書きした際に、過去の測定結果を特定可能なデータが失われてしまう。また、過去に生成した測定結果を読み出して使用する使用方法では、作業開始前に記録済の測定値を消去する必要があり、記録済の測定値を消去せずに新たな測定作業を開始した場合には、今回作業時に測定作業を完了した測定対象と測定作業を完了していない測定対象とを正確かつ容易に把握するのが困難となるおそれがある。
【００１１】
このため、過去の作業時に生成した測定結果データを読み出して使用する際に記録済の測定値を消去しなかった場合には、測定作業を完了した測定対象についての作業を重複して実行してしまったり、測定作業を完了していない測定対象についての作業を実行し忘れてしまったりするおそれがある。
【００１２】
本発明は、かかる改善すべき課題に鑑みてなされたものであり、測定結果データの消失、重複する測定作業の実施、およびいずれかの測定対象についての測定値の欠落などを招くことなく、同じ測定対象についての測定作業時における準備作業に要する作業者の負担を十分に軽減し得る測定データ処理装置、測定システムおよび測定データ処理用プログラムを提供することを主目的とする。
【課題を解決するための手段】
【００１３】
上記目的を達成すべく請求項１記載の測定データ処理装置は、測定対象を示す測定対象像が複数の当該測定対象のそれぞれの位置に対応して並んでいる画像の画像データを記憶する記憶部と、前記各測定対象についての測定値が記録された測定値データを取得して測定結果データを生成して前記記憶部に記憶させる処理部とを備え、前記処理部は、前記画像データに基づく前記画像を表示部に表示させると共に、表示させた前記画像内のいずれかの前記測定対象像が指定されていずれかの前記測定対象に関連付けられたときに、指定された当該測定対象像の当該画像内における位置を当該いずれかの測定対象に関連付けた関連付けデータを生成して前記画像データと共にテンプレートデータとして前記記憶部に記憶させる第１の処理と、予め規定された表示開始条件が満たされたときに前記テンプレートデータを前記記憶部から読み出して当該テンプレートデータの前記画像データに基づく前記画像を前記表示部に表示させると共に、少なくとも前記測定値データの取得が完了していない前記測定対象に対応する前記測定対象像の前記画像内における位置を前記テンプレートデータの前記関連付けデータに基づいて特定し、特定した位置の当該測定対象像を識別可能な測定対象識別用表示を当該特定した位置の測定対象像に対応させて前記画像と共に前記表示部に表示させる第２の処理と、前記第２の処理によって表示させた前記画像内のいずれかの前記測定対象像が指定されている状態において前記測定値データを取得したときに、取得した当該測定値データに記録されている測定値を指定されている当該測定対象像の前記測定対象に対応させた前記測定結果データを生成して前記画像データおよび前記関連付けデータと共に前記記憶部に記憶させる第３の処理とを実行可能に構成されている。
【００１４】
また、請求項２記載の測定データ処理装置は、請求項１記載の測定データ処理装置において、前記処理部は、前記第１の処理において、前記各測定対象についての測定条件が指定されたときに、指定された当該測定条件を特定可能な測定条件データを生成して前記関連付けデータおよび前記画像データと共に前記テンプレートデータとして前記記憶部に記憶させると共に、前記第３の処理において、前記取得した測定値データが当該測定値データに対応する前記測定対象についての前記測定条件データの前記測定条件を満たしているか否かを判別し、満たしていないときに予め規定された第４の処理を実行する。
【００１５】
また、請求項３記載の測定データ処理装置は、請求項２記載の測定データ処理装置において、前記処理部は、前記第４の処理において、前記取得した測定値データが前記測定条件を満たしていないことを特定可能に報知する。
【００１６】
さらに、請求項４記載の測定データ処理装置は、請求項２または３記載の測定データ処理装置において、前記処理部は、前記第４の処理において、前記取得した測定値データに記録されている測定値を前記測定結果データとして前記記憶部に記憶させずに破棄する。
【００１７】
また、請求項５記載の測定データ処理装置は、請求項１から４のいずれかに記載の測定データ処理装置において、前記各測定対象を撮像して撮像データを出力する撮像部を備え、前記処理部は、前記第１の処理に先立ち、前記撮像部から出力された前記撮像データを前記画像データとして取得する。
【００１８】
また、請求項６記載の測定システムは、前記各測定対象を撮像して撮像データを出力する撮像部を備え、前記処理部は、前記第１の処理に先立ち、前記撮像部から出力された前記撮像データを前記画像データとして取得する。
【００１９】
また、請求項７記載の測定データ処理用プログラムは、測定対象を示す測定対象像が複数の当該測定対象のそれぞれの位置に対応して並んでいる画像の画像データを記憶する記憶部と、前記各測定対象についての測定値が記録された測定値データを取得して測定結果データを生成して前記記憶部に記憶させる処理部とを備えた測定データ処理装置の当該処理部に対して、前記画像データに基づく前記画像を表示部に表示させると共に、表示させた前記画像内のいずれかの前記測定対象像が指定されていずれかの前記測定対象に関連付けられたときに、指定された当該測定対象像の当該画像内における位置を当該いずれかの測定対象に関連付けた関連付けデータを生成して前記画像データと共にテンプレートデータとして前記記憶部に記憶させる第１の処理と、予め規定された表示開始条件が満たされたときに前記テンプレートデータを前記記憶部から読み出して当該テンプレートデータの前記画像データに基づく前記画像を前記表示部に表示させると共に、少なくとも前記測定値データの取得が完了していない前記測定対象に対応する前記測定対象像の前記画像内における位置を前記テンプレートデータの前記関連付けデータに基づいて特定し、特定した位置の当該測定対象像を識別可能な測定対象識別用表示を当該特定した位置の測定対象像に対応させて前記画像と共に前記表示部に表示させる第２の処理と、前記第２の処理によって表示させた前記画像内のいずれかの前記測定対象像が指定されている状態において前記測定値データを取得したときに、取得した当該測定値データに記録されている測定値を指定されている当該測定対象像の前記測定対象に対応させた前記測定結果データを生成して前記画像データおよび前記関連付けデータと共に前記記憶部に記憶させる第３の処理とを実行させる。
【００２０】
さらに、請求項８記載の測定データ処理用プログラムは、前記処理部に対して、前記第１の処理において、前記各測定対象についての測定条件が指定されたときに、指定された当該測定条件を特定可能な測定条件データを生成して前記関連付けデータおよび前記画像データと共に前記テンプレートデータとして前記記憶部に記憶させると共に、前記第３の処理において、前記取得した測定値データが当該測定値データに対応する前記測定対象についての前記測定条件データの前記測定条件を満たしているか否かを判別し、満たしていないときに予め規定された第４の処理を実行させる。
【発明の効果】
【００２１】
請求項１記載の測定データ処理装置では、処理部が、画像データに基づく画像内のいずれかの測定対象像が指定されていずれかの測定対象に関連付けられたときに、指定された測定対象像の画像内における位置をその測定対象に関連付けた関連付けデータを生成して画像データと共にテンプレートデータとして記憶部に記憶させる第１の処理と、予め規定された表示開始条件が満たされたときにテンプレートデータを記憶部から読み出して画像データに基づく画像を表示させると共に、少なくとも測定値データの取得が完了していない測定対象に対応する測定対象像の画像内における位置を関連付けデータに基づいて特定し、特定した位置の測定対象像を識別可能な測定対象識別用表示を特定した位置の測定対象像に対応させて表示させる第２の処理と、表示させた画像内のいずれかの測定対象像が指定されている状態において測定値データを取得したときに、取得した測定値データに記録されている測定値を指定されている測定対象像の測定対象に対応させた測定結果データを生成して画像データおよび関連付けデータと共に記憶部に記憶させる第３の処理とを実行可能に構成されている。
【００２２】
また、請求項６記載の測定システムでは、各測定対象についての測定を実行可能に構成された測定装置と、上記の測定データ処理装置とを備えて構成されている。また、請求項７記載の測定データ処理用プログラムでは、上記の各処理を測定データ処理装置の処理部に対して実行させる。
【００２３】
したがって、請求項１記載の測定データ処理装置、請求項６記載の測定システム、および請求項７記載の測定データ処理用プログラムによれば、画像内の各測定対象像の表示位置との関連付けを行ってテンプレートデータの生成を完了している各測定対象についての２回目以降の測定作業時には、各測定対象像の表示位置と各測定対象との関連付等の準備作業を測定作業に先立って行わなくても、記憶部に記憶されているテンプレートデータを指定して読み出させることで測定作業の支援および測定値の入力を行う画面を表示部に表示させて直ちに測定作業を開始することができる。これにより、同じ測定対象についての２回目以降の測定作業時における作業者の負担を十分に軽減することができる。また、過去に生成された測定結果データ等を読み出して新たな測定値を上書きする使用形態とは異なり、テンプレートデータを使用して測定結果データを生成することで、過去の測定作業によって取得した測定値データに記録されていた測定値を特定可能な測定結果データが消失する事態を好適に回避できると共に、１つの測定対象についての重複する測定作業の実施や、いずれかの測定対象についての測定値の欠落などを招くことなく、測定結果データを生成することができる。
【００２４】
請求項２記載の測定データ処理装置では、処理部が、第１の処理において、各測定対象についての測定条件が指定されたときに、指定された測定条件を特定可能な測定条件データを生成して関連付けデータおよび画像データと共にテンプレートデータとして記憶部に記憶させると共に、第３の処理において、取得した測定値データがその測定値データに対応する測定対象についての測定条件データの測定条件を満たしているか否かを判別し、満たしていないときに予め規定された第４の処理を実行する。また、請求項８記載の測定データ処理用プログラムでは、上記の各処理を測定データ処理装置の処理部に対して実行させる。
【００２５】
したがって、請求項２記載の測定データ処理装置、そのような測定データ処理装置を備えた測定システム、および請求項８記載の測定データ処理用プログラムによれば、測定作業の都度、測定条件を指定する準備作業を行う使用形態とは異なり、同じ測定対象についての複数回の測定作業に際して各測定対象について指定した測定条件を特定可能な測定条件データが記録されたテンプレートデータを使用することで、テンプレートデータの生成に際して指定した測定条件を満たす測定作業を確実かつ容易に実施させることができるため、過去の測定作業によって生成した測定結果データと正確かつ容易に比較可能な測定結果データを生成することができる。
【００２６】
請求項３記載の測定データ処理装置では、処理部が、第４の処理において、取得した測定値データが測定条件を満たしていないことを特定可能に報知する。したがって、請求項３記載の測定データ処理装置、そのような測定データ処理装置を備えた測定システム、およびそのような処理を測定データ処理装置の処理部に対して実行させる測定データ処理用プログラムによれば、テンプレートデータの生成に際して指定した測定条件を満たさない測定作業が実施されたことを作業者に対して確実かつ容易に認識させることができるため、過去の測定作業によって生成した測定結果データと一層正確かつ容易に比較可能な測定結果データを生成することができる。
【００２７】
請求項４記載の測定データ処理装置では、処理部が、第４の処理において、取得した測定値データに記録されている測定値を測定結果データとして記憶部に記憶させずに破棄する。したがって、請求項４記載の測定データ処理装置、そのような測定データ処理装置を備えた測定システム、およびそのような処理を測定データ処理装置の処理部に対して実行させる測定データ処理用プログラムによれば、テンプレートデータの生成に際して指定した測定条件を満たさない測定作業による測定値が記録された測定結果データ、すなわち、過去の測定作業によって生成した測定結果データとの比較が困難な測定結果データが生成される事態を確実に回避することができる。
【００２８】
請求項５記載の測定データ処理装置では、各測定対象を撮像して撮像データを出力する撮像部を備え、処理部が、第１の処理に先立ち、撮像部から出力された撮像データを画像データとして取得する。したがって、請求項５記載の測定データ処理装置、そのような測定データ処理装置を備えた測定システム、およびそのような処理を測定データ処理装置の処理部に対して実行させる測定データ処理用プログラムによれば、測定対象像を描いた画像データを生成する煩雑な作業を行うことなく、撮像部によって各測定対象を撮像するだけで、各測定対象像を含む画像を測定データ処理装置の表示部に容易に表示させることができる。また、測定対象像を描いた画像データを使用するのとは異なり、実際に測定を行う各測定対象を撮像した撮像データを画像データとして使用して画像を表示させることで、測定対象識別用表示の表示位置に基づき、次に測定を行う測定対象の位置などを正確かつ容易に把握することができる。
【図面の簡単な説明】
【００２９】
【図１】測定システム１００の構成を示す構成図である。
【図２】配電盤ＹにおけるブレーカＸａ〜Ｘｃの配置の一例について説明するための説明図である。
【図３】ブレーカＸａ〜Ｘｃの像３２ａ〜３２ｃを含む画像（配電盤Ｙの画像３１：カメラ２１によって撮像された撮像データＤ２の画像）の一例を示す図である。
【図４】支援画面設定用画面３０ａの一例を示す表示画面図である。
【図５】１番目の測定対象についての測定を行う際の測定作業支援用画面３０ｂの一例を示す表示画面図である。
【図６】１番目の測定対象についての測定を行う際の測定作業支援用画面３０ｂの一例を示す他の表示画面図である。
【図７】１番目の測定対象についての測定を行う際の測定作業支援用画面３０ｂの一例を示すさらに他の表示画面図である。
【図８】２番目の測定対象についての測定を行う際の測定作業支援用画面３０ｂの一例を示す表示画面図である。
【図９】すべてのブレーカＸについての測定作業が完了した際の測定作業支援用画面３０ｂの一例を示す表示画面図である。
【発明を実施するための形態】
【００３０】
以下、本発明に係る測定データ処理装置、測定システムおよび測定データ処理用プログラムの実施の形態について、添付図面を参照して説明する。
【００３１】
図１に示す測定システム１００は、「測定システム」の一例であって、測定装置１Ａ，１Ｖ、携帯情報端末２およびデータサーバ３を備えて構成されている。なお、以下の説明においては、「測定データ処理装置」、「測定システム」および「測定データ処理用プログラム」の発明についての理解を容易とするために、一例として、図２に示す配電盤Ｙに配設されているブレーカＸａ〜Ｘｃ（以下、これらを区別しないときには「ブレーカＸ」ともいう）を「測定対象」とし、これらに接続された電線を流れる電流の電流値や、これらに印加されている電圧の電圧値を測定値として測定するものとする。また、実際の配電盤Ｙには、各ブレーカＸや電線以外の各種の機器が配設されているが、測定作業時の処理内容についての理解を容易とするために、各ブレーカＸ以外の要素に関する図示および説明を省略する。
【００３２】
測定装置１Ａは、「測定装置」の一例であって、測定対象を流れる電流の電流値をクランプセンサ（図示せず）を介して測定して測定値データＤ０を生成し、生成した測定値データＤ０を携帯情報端末２などに送信可能に構成されている。また、測定装置１Ｖは、「測定装置」の他の一例であって、測定対象に印加されている電圧の電圧値をテストリード（図示せず）を介して測定して測定値データＤ０を生成し、生成した測定値データＤ０を携帯情報端末２などに送信可能に構成されている。この場合、測定装置１Ａ，１Ｖは、一例として、ブルートゥース（Bluetooth ：登録商標）規格などの近距離無線通信規格に準ずる無線通信が可能に構成されており、上記の測定値データＤ０を無線通信によって携帯情報端末２等の外部装置に送信可能に構成されている。
【００３３】
なお、本例の測定システム１００では、測定装置１Ａ，１Ｖ（以下、区別しないときには「測定装置１」ともいう）の２台を備えてシステムを構成しているが、「測定システム」を構成する「測定装置」の数はこれに限定されず、１台の「測定装置」、または３台以上の複数の「測定装置」を備えて構成することもできる。また、電流値や電圧値に代えて（または、それらに加えて）、各種の物理量（抵抗値、電力量および位相などの電気的パラメータ、並びに温度、湿度、輝度（光度）、照度、歪み、雨量および流量等の各種パラメータ）を測定することが可能な「測定装置」を採用して測定システム１００を構成することもできる。
【００３４】
一方、携帯情報端末２は、「測定データ処理装置」に相当し、一例として、測定データ処理用プログラムＤｐ（「測定データ処理用プログラム」の一例）をインストールした既存のタブレット端末やスマートフォンで構成されている。なお、広義には、「タブレット端末」は「タッチパネル等のポインティングデバイスと表示装置とを備えたＰＤＡ（携帯情報端末）」を意味し、「スマートフォン」は「ＰＤＡ（携帯情報端末）の機能が備わった携帯電話」を意味するが、本明細書では、この広義の「タブレット端末」および広義の「スマートフォン」のうちの「各種プログラムのインストールによって任意の機能を付加したり、端末の操作環境や表示環境等をカスタマイズしたりすることができるもの」を「タブレット端末」や「スマートフォン」という。
【００３５】
この場合、本例の測定システム１００における携帯情報端末２は、一例として、タブレット端末で構成されており、カメラ２１、通信部２２ａ，２２ｂ、操作部２３、表示部２４、スピーカ２５、処理部２６および記憶部２７を備えている。なお、実際の携帯情報端末２は、上記の各構成要素２１〜２７の他に、「タブレット端末」としての機能を実現するための各種の構成要素を備えているが、本願発明についての理解を容易とするために、これらの構成要素についての図示および説明を省略する。
【００３６】
カメラ２１は、「撮像部」の一例であって、各ブレーカＸ等が配設された配電盤Ｙなどを撮像して撮像データＤ２（「測定対象を示す測定対象像が複数の測定対象のそれぞれの位置に対応して並んでいる画像の画像データ」としての「撮像データ」の一例）を生成し、生成した撮像データＤ２を処理部２６に出力する。
【００３７】
通信部２２ａは、一例として、前述した測定装置１の通信部と同様にしてブルートゥース等の近距離無線通信規格に準ずる無線通信が可能な通信アダプタで構成されている。この通信部２２ａは、処理部２６の制御に従い、後述するように測定装置１から送信される測定値データＤ０などの受信処理、および測定装置１に対する各種の制御信号の送信処理を実行する。通信部２２ｂは、携帯電話回線網などの通信ネットワークＮに接続可能に構成されると共に、処理部２６の制御に従い、通信ネットワークＮを介してデータサーバ３に接続して、後述の「テンプレートデータ」や「測定結果データ」などの各種データを送受信する。
【００３８】
操作部２３は、一例として、表示部２４の前面側に配設されたタッチパネルや、携帯情報端末２を「タブレット端末」としての機能させるための各種の操作スイッチを備え、操作に応じた操作信号を処理部２６に出力する。表示部２４は、一例として液晶表示パネルを備え、処理部２６の制御に従い、支援画面設定用画面３０ａ（図４参照）、および測定作業支援用画面３０ｂ（図５〜９参照）などの各種の表示画面を表示する。
【００３９】
処理部２６は、「処理部」の一例であって、携帯情報端末２を総括的に制御する。具体的には、処理部２６は、測定データ処理用プログラムＤｐの記述に従い、測定作業を支援するための測定作業支援用画面３０ｂを表示可能な「テンプレートデータ」の生成処理、「テンプレートデータ」に基づく測定作業支援用画面３０ｂを表示部２４に表示させて測定作業を支援しつつ測定値データＤ０を取得する処理、取得した測定値データＤ０に記録されている測定値を「測定結果データ」として記憶部２７に記憶させる処理、および、生成した「測定結果データ」をデータサーバ３に送信する処理などを実行可能に構成されている。
【００４０】
より具体的には、処理部２６は、上記の「テンプレートデータ」の生成処理において、操作部２３に対する操作に応じてカメラ２１を制御して「測定対象」を撮像させると共に、カメラ２１から出力される撮像データＤ２を「画像データ」として取得する。また、処理部２６は、取得した撮像データＤ２に基づき、ブレーカＸａ〜Ｘｃの像３２ａ〜３２ｃ（「測定対象を示す測定対象像」の一例：以下、区別しないときには「像３２」ともいう）を含む画像３１（「画像」の一例）を、支援画面設定用画面３０ａや測定作業支援用画面３０ｂなどに表示させる。
【００４１】
また、処理部２６は、上記の「テンプレートデータ」の生成処理において、図４に示すように、支援画面設定用画面３０ａを表示部２４に表示させた状態で、利用者によって指定される「各ブレーカＸに対して規定された測定順序」を特定可能なマーカー３３−０１〜３３−０４（以下、区別しないときには「マーカー３３」ともいう）を、対応する各ブレーカＸの像３２にそれぞれ関連付けて配電盤Ｙの画像３１に重ねて表示させる。また、処理部２６は、「各ブレーカＸについての測定時における使用機器や測定モード」などの「測定条件」を、支援画面設定用画面３０ａの測定条件測定結果表示４２における使用機器欄４２ｂ−０１，４２ｂ−０２・・や測定モード欄４２ｃ−０１，４２ｃ−０２・・などの入力させることで各ブレーカＸ毎の「測定条件」を指定させる。
【００４２】
さらに、処理部２６は、利用者によって指定された「測定順序」や「測定条件」に基づき、ブレーカＸと、対応する像３２の画像３１内における位置との関連付け、および各ブレーカＸについての「測定順序」や、各ブレーカＸについての測定作業時における「測定条件」などを特定可能な測定対象管理用データＤ１（「関連付けデータ」および「測定条件データ」の一例）を生成し、生成した測定対象管理用データＤ１を撮像データＤ２に関連付けて「テンプレートデータ」として記憶部２７に記憶させる。この場合、本例の携帯情報端末２（測定データ処理用プログラムＤｐ）では、撮像データＤ２に基づく支援画面設定用画面３０ａへの画像３１の表示から、「テンプレートデータ」の記憶部２７への記憶までの一連の処理が「第１の処理」に相当する。
【００４３】
また、処理部２６は、測定作業の支援および測定値データＤ０の取得の処理において、測定装置１による各ブレーカＸについての測定を開始する操作が行われたとき（「予め規定された表示開始条件が満たされたとき」の一例）に、記憶部２７から上記の「テンプレートデータ（測定対象管理用データＤ１および撮像データＤ２）」を読み出し、図５に示すように、測定作業支援用画面３０ｂを表示部２４に表示させる。この場合、本例の携帯情報端末２（測定データ処理用プログラムＤｐ）では、記憶部２７からの「テンプレートデータ」の読み出し、および表示部２４への測定作業支援用画面３０ｂの表示の処理が「第２の処理」に相当する。
【００４４】
なお、具体的な処理内容については後に詳細に説明するが、本例の携帯情報端末２（測定データ処理用プログラムＤｐ）では、後述するように、測定値データＤ０の取得が完了していない各ブレーカＸのなかで「測定順序」が最も早い１つに対応するマーカー３３を「測定対象識別用表示」として、そのブレーカＸについての「測定順序」が最も早い順序ではないときの表示態様（一例として、点灯表示）とは異なる表示態様（一例として、点滅表示）で像３２に関連付けて画像３１に重ねて表示させる構成が採用されている。
【００４５】
さらに、処理部２６は、「測定結果データ」を記憶部２７に記憶させる処理として、図５〜８に示すように測定作業支援用画面３０ｂを表示部２４に表示させていずれかのマーカー３３の表示態様によっていずれかの像３２が指定されている状態において測定装置１から送信された測定値データＤ０が送信されたとき（通信部２２ａによって測定値データＤ０が受信されたとき：「測定値データを取得したとき」の一例）に、その測定値データＤ０に記録されている測定値を、指定されている像３２のブレーカＸに関連付けた測定結果データＤ３を生成して、測定対象管理用データＤ１および撮像データＤ２と関連付けて「測定結果データ」として記憶部２７に記憶させる。
【００４６】
具体的には、処理部２６は、一例として、取得した測定値データＤ０に記録されている測定値を、「測定対象識別用表示」として表示させているマーカー３３（点滅表示させているマーカー３３）に対応するブレーカＸについての測定値として、図４に示す測定条件測定結果表示４２における測定値欄４２ｅ−０１，４２ｅ−０２・・のうちの対応するセルに数値入力して測定結果データＤ３を生成する。この場合、本例の携帯情報端末２（測定データ処理用プログラムＤｐ）では、測定対象管理用データＤ１、撮像データＤ２および測定結果データＤ３を関連付けて「測定結果データ」として記憶部２７に記憶させる処理が「第３の処理」に相当する。
【００４７】
なお、具体的な処理内容については後に詳細に説明するが、本例の携帯情報端末２（測定データ処理用プログラムＤｐ）では、上記の「第３の処理」において、取得した測定値データＤ０が、前述の「測定条件」を満たしているか否かが判別され、満たされているときに測定結果データＤ３が生成され、満たされていないときに、その旨が報知されて測定値データＤ０が破棄される（「第４の処理」の一例）。
【００４８】
また、処理部２６は、利用者から「測定結果データ」のデータサーバ３へのアップロード（送信）を指示されたときに、相互に関連付けられて記憶部２７に記憶されている測定対象管理用データＤ１、撮像データＤ２および測定結果データＤ３を通信部２２ｂから通信ネットワークＮを介してデータサーバ３に送信して記録させる。
【００４９】
記憶部２７は、「記憶部」の一例であって、処理部２６が実行する測定データ処理用プログラムＤｐや、測定装置１から取得した測定値データＤ０を記憶すると共に、測定対象管理用データＤ１、撮像データＤ２および測定結果データＤ３などを「テンプレートデータ」や「測定結果データ」として記憶する。この場合、測定データ処理用プログラムＤｐや、各データＤ１〜Ｄ３などを記憶する「記憶部」は、携帯情報端末２の内蔵メモリで構成された上記の記憶部２７に限定されず、携帯情報端末２に装着された各種のリムーバブルメモリで構成することもできる。
【００５０】
データサーバ３は、一例として、測定装置１や携帯情報端末２の利用者が各ブレーカＸなどの「測定対象」についての「測定結果データ」を保管するためのサーバであって、携帯情報端末２から相互に関連付けられた状態で送信された測定対象管理用データＤ１、撮像データＤ２および測定結果データＤ３（測定結果データ）を受信して記録する処理、並びに携帯情報端末２や図示しない電子端末（パーソナルコンピュータ等）に対する「測定結果データ」の送信処理などを実行可能に構成されている。
【００５１】
なお、データサーバ３については、この測定システム１００専用のサーバを用意して使用することもできるが、「測定結果データ」などを記録可能な既存のデータサーバをデータサーバ３として使用することもできる。また、データサーバ３を介さずに携帯情報端末２と電子端末（パーソナルコンピュータ等）との間で「測定結果データ」を直接送受信する構成を採用することもできる。
【００５２】
次に、測定システム１００を用いた測定作業（測定結果データの生成処理）について、添付図面を参照して説明する。なお、携帯情報端末２への測定データ処理用プログラムＤｐのインストール作業や、測定装置１と携帯情報端末２（通信部２２ａ）との間におけるブルートゥースのペアリング作業については既に完了しているものとする。
【００５３】
この測定システム１００を用いて、以下に説明するような一連の作業を行ったことがない新規の測定対象についての測定を行う際には、まず、測定作業を支援するための準備作業を実施する。なお、この準備作業については、測定作業の開始前であれば任意のタイミングで実施することができる。具体的には、測定作業とは別個に準備作業だけを実施しておき、後の任意のタイミングで測定作業を実施したり、準備作業の終了に続いて測定作業を実施したりすることができる。
【００５４】
一例として、準備作業を行ったことがない配電盤Ｙ（各ブレーカＸ）についての測定作業の直前に準備作業を行う際には、まず、使用する測定装置１および携帯情報端末２を配電盤Ｙの設置場所に携行し、携帯情報端末２において測定データ処理用プログラムＤｐを起動させる。この際には、図示しない初期画面が表示部２４に表示されるため、操作部２３（タッチパネル）の操作によって「テンプレートデータ新規作成」との項目を選択する。これに応じて、処理部２６は、一例として「測定対象を撮像して下さい。」とのメッセージを表示部２４に表示させる。
【００５５】
一方、メッセージを見た作業者が配電盤Ｙ（各ブレーカＸ）をカメラ２１によって撮像すると、一例として、図３に示すように、「測定対象」としてのブレーカＸａ〜Ｘｃの像３２ａ〜３２ｃが各ブレーカＸａ〜Ｘｃの位置に対応して並んだ画像３１の撮像データＤ２がカメラ２１によって生成されて処理部２６に出力される。これに応じて、処理部２６は、測定データ処理用プログラムＤｐの記述に従い、カメラ２１から撮像データＤ２が出力された撮像データＤ２を記憶部２７に記憶させると共に、図４に示す支援画面設定用画面３０ａを表示部２４に表示させる。
【００５６】
この支援画面設定用画面３０ａは、測定作業時に使用する測定作業支援用画面３０ｂ（図５〜９参照）の表示に必要な「テンプレートデータ」を生成するための各種の情報を設定するための画面であって、一例として、測定作業支援用画面３０ｂの画面レイアウトと同様のレイアウト構成となっている。具体的には、支援画面設定用画面３０ａには、撮像データＤ２に基づく画像３１の各像３２等の「測定対象像」が表示されると共に、各「測定対象」についての諸情報（配電盤Ｙの設置場所や、測定日時などに関する情報）が表示される測定対象情報表示４１、各ブレーカＸの名称や測定値などが表示される測定条件測定結果表示４２、および設定終了ボタン４３が表示される。
【００５７】
この場合、測定条件測定結果表示４２には、一例として、測定対象名が入力される測定対象名欄４２ａ−０１，４２ａ−０２・・（以下、区別しないときには「測定対象名欄４２ａ」ともいう）、測定作業時に使用する測定装置の型番等が入力される使用機器欄４２ｂ−０１，４２ｂ−０２・・（以下、区別しないときには「使用機器欄４２ｂ」ともいう）、測定作業時に設定する測定モード（被測定量の種類や測定レンジ等）が入力される測定モード欄４２ｃ−０１，４２ｃ−０２・・（以下、区別しないときには「測定モード欄４２ｃ」ともいう）、測定対象についての備考が入力される備考欄４２ｄ−０１，４２ｄ−０２・・（以下、区別しないときには「備考欄４２ｄ」ともいう）、および測定装置１から取得した測定値データＤ０に記録されている値が入力される測定値欄４２ｅ−０１，４２ｅ−０２・・（以下、区別しないときには「測定値欄４２ｅ」ともいう）が規定されている。また、設定終了ボタン４３は、設定作業が完了した際に支援画面設定用画面３０ａを閉じて「テンプレートデータ」を生成する機能が付与されている。
【００５８】
次いで、画像３１内の各像３２とブレーカＸとの関連付け、および各ブレーカＸについての「測定順序」や「測定条件」などを設定する。具体的には、操作部２３（タッチパネル）を操作することにより、画像３１内の各ブレーカＸの像３２のうちから、１番目に測定したい「測定対象」に対応する像３２（一例として、ブレーカＸｂの像３２ｂ）の表示位置に、「測定順序」が１番目であることを示すマーカー３３−０１を表示させる。これにより、ブレーカＸｂの像３２ｂの表示位置にマーカー３３−０１が重なって表示された状態となり、マーカー３３−０１が重なっている像３２ｂがブレーカＸｂに関連付けられた状態となる（「表示させた画像内のいずれかの測定対象像が指定されていずれかの測定対象に関連付けられたとき」の一例）。
【００５９】
続いて、測定条件測定結果表示４２に各種の情報を入力する。具体的には、測定対象名欄４２ａ−０１に、マーカー３３−０１を重ねた像３２ｂに対応するブレーカＸｂの名称を入力し、使用機器欄４２ｂ−０１にブレーカＸｂについての測定作業時に使用する測定装置１を特定可能な情報（型番等）を入力し、かつ測定モード欄４２ｃ−０１に測定作業時に設定すべき測定モードを特定可能な情報を入力すると共に、必要に応じて備考欄４２ｄ−０１にブレーカＸｂについての任意の情報（備考）を入力する（「各測定対象についての測定条件が指定されたとき」の一例）。
【００６０】
この場合、使用機器欄４２ｂについては、一例として、作業者が所有する測定装置１のリストを予め登録しておくことで、登録されているリストの中から所望の測定装置１を選択する入力方法を採用することができる（図示せず）。また、測定モード欄４２ｃについては、使用機器欄４２ｂに入力した測定装置１の情報に基づき、その測定装置１において設定可能な測定モードを一覧表示させて、所望の測定モードを選択する入力方法を採用することができる（図示せず）。以上により、ブレーカＸｂについての設定が完了する。
【００６１】
次いで、上記のブレーカＸｂについての設定時と同様の手順で、画像３１内の各ブレーカＸの像３２のうちから、２番目以降に測定したいブレーカＸについて像３２を順次選択して「測定順序」や「測定条件」を設定する。なお、図４に示す支援画面設定用画面３０ａの例では、像３２ａに対応するブレーカＸａについて、３番目の「測定対象」、および４番目の「測定対象」として２回の測定作業を行うように設定されている。
【００６２】
この後、すべての「測定対象」についての「測定順序」および「測定条件」の設定が完了したときには、設定終了ボタン４３を操作する。この際に、処理部２６は、測定データ処理用プログラムＤｐに従い、画像３１内の各像３２の表示位置と、測定条件測定結果表示４２に「測定条件」等を入力された各ブレーカＸとの関連付け、および測定条件測定結果表示４２に入力された各ブレーカＸ毎の「測定条件」などを特定可能な測定対象管理用データＤ１を生成する（「指定された測定対象像の画像内における位置をいずれかの測定対象に関連付けた関連付けデータを生成し」との処理、および「指定された測定条件を特定可能な測定条件データを生成し」との処理の一例）。
【００６３】
次いで、処理部２６は、生成した測定対象管理用データＤ１、および支援画面設定用画面３０ａに表示させた画像３１の撮像データＤ２を相互に関連付けた状態で「テンプレートデータ」として記憶部２７に記憶させる。以上により、「第１の処理」が完了し、各ブレーカＸについての測定作業を開始する準備が整う。
【００６４】
一方、上記の準備作業が完了した状態において各ブレーカＸについての測定作業を実施するときには、携帯情報端末２を操作して測定データ処理用プログラムＤｐを起動させ、記憶部２７から上記の「テンプレートデータ」を読み出させる。この場合、上記のテンプレートデータは、相互に関連付けられた測定対象管理用データＤ１および撮像データＤ２で構成されているが、記憶部２７からの読み出し（読み出すべき「テンプレートデータ」の指定）に際しては、一例として、所望の「測定対象（本例では、配電盤Ｙの各ブレーカＸ）」についての測定対象管理用データＤ１を選択する。
【００６５】
また、いずれかの測定対象管理用データＤ１が選択されたとき（「予め規定された表示開始条件が満たされたとき」の一例）に、処理部２６は、測定データ処理用プログラムＤｐに従い、選択された測定対象管理用データＤ１、およびその測定対象管理用データＤ１に関連付けられている撮像データＤ２を記憶部２７から読み出し、図５に示す測定作業支援用画面３０ｂを表示部２４に表示させる。
【００６６】
具体的には、処理部２６は、「テンプレートデータ」として記憶部２７から読み出した撮像データＤ２の画像３１を測定作業支援用画面３０ｂに表示させると共に（「テンプレートデータの画像データに基づく画像を表示部に表示させる」との処理の一例）、撮像データＤ２と共に「テンプレートデータ」として記憶部２７から読み出した測定対象管理用データＤ１に基づき、各ブレーカＸについて設定された測定条件を測定作業支援用画面３０ｂの測定条件測定結果表示４２における各測定対象名欄４２ａ、各使用機器欄４２ｂ、各測定モード欄４２ｃおよび各備考欄４２ｄにそれぞれ表示させる。この場合、この測定作業支援用画面３０ｂでは、前述した支援画面設定用画面３０ａにおける設定終了ボタン４３に代わり、後述の一連の測定作業が完了したとき（または、測定作業を中断するとき）に操作することで、その時点において取得を完了している測定値データＤ０に基づく測定結果データＤ３が生成される機能が割り当てられた測定終了ボタン４４が表示される。
【００６７】
また、処理部２６は、測定対象管理用データＤ１に記録された「関連付け」の情報に従い、各ブレーカＸに対応する像３２の画像３１内における位置を特定する（「少なくとも測定値データの取得が完了していない測定対象（本例では、すべての測定対象）に対応する測定対象像の画像内における位置をテンプレートデータの関連付けデータに基づいて特定し」との処理の一例）。次いで、処理部２６は、特定した位置の各像３２を識別可能な「測定対象識別用表示」として、各像３２のブレーカＸに対応するマーカー３３を像３２に重ねて画像３１と共に（画像３１上に）表示させる。この場合、本例の携帯情報端末２（測定データ処理用プログラムＤｐ）では、画像３１上に各マーカー３３を「測定対象識別用表示」として表示させる際に、測定作業を完了していないブレーカＸのなかで測定順序が最も早いブレーカＸの像３２に重ねるマーカー３３（いずれのブレーカＸについての測定作業も実施されていないこの時点では、「測定順序：１番目」のブレーカＸｂの像３２ｂに重ねるマーカー３３−０１）を点滅表示させ、他のマーカー３３を点滅させずに点灯表示させる。
【００６８】
さらに、処理部２６は、１番目の「測定対象」であり、点滅表示されたマーカー３３−０１が重ねられている像３２ｂに対応するブレーカＸｂについての測定値を入力すべき測定値欄４２ｅ−０１にカーソル４５を表示させると共に（「画像内のいずれかの測定対象像が指定されている状態」の一例）、一例として「(１)についての測定作業を開始して下さい。」とのメッセージを示すメッセージ表示部５０を測定作業支援用画面３０ｂに重ねて表示させ、かつメッセージ表示部５０に表示させているメッセージと同じメッセージをスピーカ２５から音声メッセージとして出力する。これにより、「テンプレートデータ」を選択する操作を行うだけで、各ブレーカＸについての測定作業を直ちに開始することが可能な状態となる。次いで、処理部２６は、測定装置１から測定値データＤ０が送信されたか否か（通信部２２ａによって測定値データＤ０が受信されたか否か）の監視を開始する。
【００６９】
一方、測定作業支援用画面３０ｂのメッセージ表示部５０に表示されたメッセージを見たり、スピーカ２５から出力された音声メッセージを聞いたりした利用者は、各ブレーカＸについての測定作業を開始する。この場合、ブレーカＸｂについての「測定条件」を示す使用機器欄４２ｂ−０１には、測定装置１Ａの型番（機器名）が表示され、かつ測定モード欄４２ｃ−０１には、ブレーカＸｂについての測定作業時に設定すべき測定モードが表示されている。したがって、これらの情報を見た作業者は、測定装置１Ａの電源を投入して交流電流値の測定モードに切り替えると共に、点滅表示しているマーカー３３−０１が重ねられた像３２ｂの表示位置に基づき、配電盤ＹにおけるブレーカＸｂの位置を把握して、電流値の測定作業を実施する。この際に、測定装置１Ａは、ブレーカＸｂに接続された電線を流れる電流の電流値を測定して測定値データＤ０を生成し、生成した測定値データＤ０を、自身の識別情報（測定装置１Ａの型番等）や、測定時に設定されていた測定モードに関連付けて携帯情報端末２に送信する。
【００７０】
また、携帯情報端末２では、測定装置１Ａから送信された測定値データＤ０が通信部２２ａによって受信されたとき（「測定値データを取得したとき」の一例）に、処理部２６が、測定データ処理用プログラムＤｐに従い、取得した測定値データＤ０が、その測定値データＤ０に対応するブレーカＸについての測定対象管理用データＤ１における「測定条件データ測定条件」を満たしているか否かを判別する。
【００７１】
この際に、本例とは相違するが、測定装置１Ａを使用して測定作業を行うように予め設定されているブレーカＸｂについての測定値データＤ０として、測定装置１Ａ以外の測定装置１から送信された測定値データＤ０が通信部２２ａによって受信されたときに、処理部２６は、測定データ処理用プログラムＤｐに従ってその旨を報知すると共に、その測定値データＤ０を保存せずに破棄する。
【００７２】
具体的には、測定値データＤ０に関連付けられて送信された機器情報（測定装置の型番）が、「テンプレートデータ」として記憶部２７から読み出した測定対象管理用データＤ１におけるブレーカＸｂについての「測定条件」として記録されている測定装置１Ａの型番とは相違するとき（「測定条件データの測定条件を満たしていないとき」の一例）に、処理部２６は、一例として、図６に示すように、「(１)については「HD12345A」を使用して測定作業を実施して下さい。」とのメッセージ（「HD12345A」は測定装置１Ａの型番）を示すメッセージ表示部５０を測定作業支援用画面３０ｂに重ねて表示させ、かつメッセージ表示部５０に表示させているメッセージと同じメッセージをスピーカ２５から音声メッセージとして出力する（「第４の処理において、取得した測定値データが測定条件を満たしていないことを特定可能に報知する」との処理の一例）。
【００７３】
これにより、作業者は、メッセージ表示部５０のメッセージやスピーカ２５から出力された音声メッセージ、および支援画面設定用画面３０ａにおける使用機器欄４２ｂ−０１に表示されている情報に基づき、ブレーカＸｂについての測定作業時に使用すべき機器を誤ったと認識して、予め設定されている機器（本例では、測定装置１Ａ）を使用した測定作業を実行する。また、処理部２６は、取得した測定値データＤ０を破棄すると共に（「第４の処理において、取得した測定値データを測定結果として記憶部に記憶させずに破棄する」との処理の一例）、測定装置１から新たな測定値データＤ０が送信されたか否か（通信部２２ａによって新たな測定値データＤ０が受信されたか否か）を監視する。
【００７４】
また、ブレーカＸｂについての測定作業時に測定装置１Ａが使用されて測定装置１Ａから送信された測定値データＤ０が通信部２２ａによって受信されたときであっても、その測定値データＤ０に関連付けられて送信された「測定モード」が、「テンプレートデータ」として記憶部２７から読み出した測定対象管理用データＤ１におけるブレーカＸｂについての「測定条件」として記録されている「測定モード」とは相違するとき（「測定条件データの測定条件を満たしていないとき」の他の一例）に、処理部２６は、一例として、図７に示すように、「(１)についての測定モードが異なります。測定器の設定を確認して再測定して下さい。」とのメッセージを示すメッセージ表示部５０を測定作業支援用画面３０ｂに重ねて表示させ、かつメッセージ表示部５０に表示させているメッセージと同じメッセージをスピーカ２５から音声メッセージとして出力する（「第４の処理において、取得した測定値データが測定条件を満たしていないことを特定可能に報知する」との処理の他の一例）。
【００７５】
これにより、作業者は、メッセージ表示部５０のメッセージやスピーカ２５から出力された音声メッセージ、および支援画面設定用画面３０ａにおける測定モード欄４２ｃ−０１に表示されている情報に基づき、ブレーカＸｂについての測定作業時に設定すべき測定モードを誤ったと認識して、予め設定されている測定モード（本例では、交流電流測定モード）に設定した測定装置１Ａを使用した測定作業を実行する。また、処理部２６は、取得した測定値データＤ０を破棄すると共に（「第４の処理において、取得した測定値データを測定結果として記憶部に記憶させずに破棄する」との処理の他の一例）、測定装置１から新たな測定値データＤ０が送信されたか否か（通信部２２ａによって新たな測定値データＤ０が受信されたか否か）を監視する。
【００７６】
一方、ブレーカＸｂについての測定作業時に使用すべき測定装置１Ａが使用され、設定されるべき測定モードでの測定作業が行われたときに、処理部２６は、通信部２２ａによって受信された測定値データＤ０が、その測定値データＤ０に対応するブレーカＸｂについての「測定条件」を満たしていると判別する。
【００７７】
この際に、処理部２６は、１番目の「測定対象」についての測定値（電圧値：測定値データＤ０）の取得が完了したと判別し（「画像内のいずれかの測定対象像が指定されている状態において測定値データを取得したとき」との状態の一例）、図８に示すように、その測定値データＤ０に記録されている測定値を測定値欄４２ｅ−０１に数値入力して測定結果データＤ３を生成する。また、処理部２６は、生成した測定結果データＤ３を、「テンプレートデータ」として記憶部２７に記憶されている測定対象管理用データＤ１および撮像データＤ２に関連付けて「測定結果データ」として記憶部２７に記憶させる（「取得した測定値データに記録されている測定値を指定されている測定対象像の測定対象に対応させて画像データおよび関連付けデータと共に測定結果データとして記憶部に記憶させる第３の処理」の一例）。
【００７８】
さらに、処理部２６は、一例として、ブレーカＸｂの像３２ｂに重ねて表示させているマーカー３３−０１を、測定作業完了前の表示色とは異なる表示色で点灯表示させると共に、一例として「(２)についての測定作業を開始して下さい。」とのメッセージを示すメッセージ表示部５０を測定作業支援用画面３０ｂに重ねて表示させ、かつメッセージ表示部５０に表示させているメッセージと同じメッセージをスピーカ２５から音声メッセージとして出力する。また、処理部２６は、測定作業を完了していないブレーカＸのなかで測定順序が最も早いブレーカＸの像３２に重ねるマーカー３３（ブレーカＸｂについての測定作業を完了したこの時点では、「測定順序：２番目」のブレーカＸｃの像３２ｃに重ねるマーカー３３−０２）を点滅表示させると共に、新たな測定値データＤ０が送信されたか否かの監視を開始する。
【００７９】
これにより、メッセージ表示部５０に表示されたメッセージやマーカー３３−０１，３３−０２を見たり、スピーカ２５から出力された音声メッセージを聞いたりした利用者は、測定装置１Ａを使用したブレーカＸｂについての測定作業が正常に完了したと認識し、ブレーカＸｂについての測定作業時と同様にして、ブレーカＸｃについての測定作業を実行する。これにより、予め設定されている「測定条件」を満たす測定値データＤ０が測定装置１Ａから送信されたときには、その測定値データＤ０に記録されている測定値が測定値欄４２ｅ−０２に入力されて測定結果データＤ３に追記される（「第３の処理」の他の一例）。
【００８０】
この後、３番目および４番目の各「測定対象」であるブレーカＸａについても、上記の測定作業時と同様の手順で作業を行う。また、本例では、４番目の「測定対象」であるブレーカＸａについての交流電流値の測定作業を完了して対応する値が測定値欄４２ｅ−０４に入力されて測定結果データＤ３に追記されたときに、処理部２６は、図９に示すように、一例として、「(１)〜(４)についての測定値の記録が完了しました。」とのメッセージを示すメッセージ表示部５０を支援画面設定用画面３０ａに重ねて表示させると共に、メッセージ表示部５０に表示させているメッセージと同じメッセージをスピーカ２５から音声メッセージとして出力する。
【００８１】
これにより、メッセージ表示部５０に表示されたメッセージを見たり、スピーカ２５から出力された音声メッセージを聞いたりした利用者は、ブレーカＸａ〜Ｘｃについての実行すべき測定作業のすべてが正常に完了したと認識し、測定終了ボタン４４を操作する。これにより、ブレーカＸａ〜Ｘｃについての一連の測定作業が完了する。
【００８２】
なお、測定装置１から送信された測定値データＤ０が「測定条件」を満たしているときに、その値が測定値欄４２ｅに自動的に入力されて測定結果データＤ３が生成される例について説明したが、本例の携帯情報端末２（測定データ処理用プログラムＤｐ）では、一例として、作業者が、測定装置１の表示部に表示される測定値を見ながら測定作業支援用画面３０ｂにおける測定値欄４２ｅに測定値を手動で入力することで測定結果データＤ３を生成させることが可能となっている。この際には、入力された測定値が「測定条件」を満たしているか否かの判別ができないため、処理部２６は、「測定条件」を満たしているか否かの処理を実行せずに測定結果データＤ３を生成する。
【００８３】
また、記憶部２７に記憶させた測定結果データＤ３等の「測定結果データ」をデータサーバ３に保管するときには、処理部２６が通信部２２ｂを制御して通信ネットワークＮを介してデータサーバ３にアクセスし、記憶部２７に記憶されている最新の測定結果データＤ３を測定対象管理用データＤ１および撮像データＤ２と関連付けて送信させる。これにより、上記の測定作業によって生成された最新の測定結果データＤ３が測定対象管理用データＤ１および撮像データＤ２と共にデータサーバ３に保管される。したがって、データサーバ３に接続可能な各種の情報処理端末を使用してそれらをダウンロードすることにより、配電盤Ｙの各ブレーカＸについての測定結果について、どのような測定条件で測定されたかを含めて正確かつ容易に把握することができる。
【００８４】
一方、本例の携帯情報端末２（測定データ処理用プログラムＤｐ）では、上記のような一連の測定作業を行った各ブレーカＸ（配電盤Ｙ）についての２回目以降の測定作業時には、１回目の測定作業に先立って行った準備作業によって「テンプレートデータ」の作成が完了しているため、各ブレーカＸ（配電盤Ｙ）の撮像や、各ブレーカＸの「測定順序」や各ブレーカＸについての「測定条件」の指定を再び行うことなく、直ちに測定作業を開始することができる。具体的には、同じブレーカＸ（配電盤Ｙ）についての２回目以降の測定作業時には、携帯情報端末２を操作して測定データ処理用プログラムＤｐを起動させ、記憶部２７から各ブレーカＸ（配電盤Ｙ）についての「テンプレートデータ」を読み出させる。
【００８５】
この際には、処理部２６が、測定データ処理用プログラムＤｐに従い、前述の各ブレーカＸについての１回目の測定作業時と同様に測定作業支援用画面３０ｂを表示部２４に表示させる。この場合、本例の携帯情報端末２（測定データ処理用プログラムＤｐ）では、過去の測定作業によって生成した測定結果データＤ３を測定対象管理用データＤ１や撮像データＤ２と共に読み出して新たな測定値データＤ０に記録されている測定値を上書きさせる使用形態とは異なり、「テンプレートデータ」としての測定対象管理用データＤ１および撮像データＤ２を記憶部２７から読み出して測定作業支援用画面３０ｂを表示させて測定値データＤ０に記録されている測定値を測定値欄４２ｅに入力させるため、測定作業の開始時には、測定値欄４２ｅが空欄となっている。したがって、測定値欄４２ｅに入力されている値を消去する煩雑な作業が不要となるだけでなく、マーカー３３の表示態様の変化とは別個に、測定値欄４２ｅに測定値が入力されているか否かに基づき、対応するブレーカＸについての測定作業が完了しているか否かを直感的に認識させることができる。
【００８６】
したがって、測定作業支援用画面３０ｂに表示された各情報を見ながら、１回目の測定作業時と同様に各ブレーカＸについての測定作業を実行することにより、携帯情報端末２の記憶部２７に各ブレーカＸについての２回目の測定作業による測定結果データＤ３が測定対象管理用データＤ１および撮像データＤ２と共に「測定結果データ」として記憶される。
【００８７】
このように、この携帯情報端末２では、処理部２６が、撮像データＤ２（画像データ）に基づく画像３１内のいずれかの像３２（測定対象像）が指定されていずれかのブレーカＸ（測定対象）に関連付けられたときに、指定された像３２の画像３１内における位置をそのブレーカＸに関連付けた測定対象管理用データＤ１（関連付けデータ）を生成して撮像データＤ２と共に「テンプレートデータ」として記憶部２７に記憶させる「第１の処理」と、予め規定された表示開始条件が満たされたとき（本例では、測定作業支援用画面３０ｂを表示させるために読み出す「テンプレートデータ」が選択されたとき）に「テンプレートデータ」（測定対象管理用データＤ１および撮像データＤ２）を記憶部２７から読み出して撮像データＤ２に基づく画像３１を表示させると共に、少なくとも測定値データＤ０の取得が完了していないブレーカＸに対応する像３２の画像３１内における位置を測定対象管理用データＤ１に基づいて特定し、特定した位置の像３２を識別可能なマーカー３３を特定した位置の像３２に対応させて表示させる「第２の処理」と、表示させた画像３１内のいずれかの像３２が指定されている状態において測定値データＤ０を取得したときに、取得した測定値データＤ０に記録されている測定値を指定されている像３２のブレーカＸに対応させた測定結果データＤ３を生成して撮像データＤ２および測定対象管理用データＤ１と共に記憶部２７に記憶させる「第３の処理」とを実行可能に構成されている。
【００８８】
また、この測定システム１００では、各ブレーカＸについての測定を実行可能に構成された測定装置１と、上記の携帯情報端末２とを備えて構成されている。また、この測定データ処理用プログラムＤｐでは、上記の各処理を携帯情報端末２の処理部２６に対して実行させる。
【００８９】
したがって、この携帯情報端末２、測定システム１００および測定データ処理用プログラムＤｐによれば、画像３１内の各像３２の表示位置との関連付けを行って「テンプレートデータ（測定対象管理用データＤ１等）」の生成を完了している各ブレーカＸについての２回目以降の測定作業時には、各像３２の表示位置と各ブレーカＸとの関連付等の準備作業を測定作業に先立って行わなくても、記憶部２７に記憶されている「テンプレートデータ」を指定して読み出させることで測定作業の支援および測定値の入力を行う測定作業支援用画面３０ｂを表示部２４に表示させて直ちに測定作業を開始することができる。これにより、同じブレーカＸについての２回目以降の測定作業時における作業者の負担を十分に軽減することができる。また、過去に生成された測定結果データＤ３等を読み出して新たな測定値を上書きする使用形態とは異なり、「テンプレートデータ」を使用して測定結果データＤ３を生成することで、過去の測定作業によって取得した測定値データＤ０に記録されていた測定値を特定可能な測定結果データＤ３が消失する事態を好適に回避できると共に、１つのブレーカＸについての重複する測定作業の実施や、いずれかのブレーカＸについての測定値の欠落などを招くことなく、測定結果データＤ３を生成することができる。
【００９０】
また、この携帯情報端末２では、処理部２６が、「第１の処理」において、各ブレーカＸについての「測定条件」が指定されたときに、指定された「測定条件」を特定可能な測定対象管理用データＤ１（測定条件データ）を生成して「関連付けデータ」（本例では、測定対象管理用データＤ１の一部）および撮像データＤ２と共に「テンプレートデータ」として記憶部２７に記憶させると共に、「第３の処理」において、取得した測定値データＤ０がその測定値データＤ０に対応するブレーカＸについての測定対象管理用データＤ１の「測定条件」を満たしているか否かを判別し、満たしていないときに予め規定された「第４の処理」を実行する。また、この測定データ処理用プログラムＤｐでは、上記の各処理を携帯情報端末２の処理部２６に対して実行させる。
【００９１】
したがって、この携帯情報端末２、測定システム１００および測定データ処理用プログラムＤｐによれば、測定作業の都度、測定条件を指定する準備作業を行う使用形態とは異なり、同じブレーカＸについての複数回の測定作業に際して各ブレーカＸについて指定した「測定条件」を特定可能な「測定条件データ（測定対象管理用データＤ１）」が記録された「テンプレートデータ」を使用することで、「テンプレートデータ」の生成に際して指定した「測定条件」を満たす「測定作業」を確実かつ容易に実施させることができるため、過去の「測定作業」によって生成した測定結果データＤ３と正確かつ容易に比較可能な測定結果データＤ３を生成することができる。
【００９２】
さらに、この携帯情報端末２では、処理部２６が、「第４の処理」において、取得した測定値データＤ０が「測定条件」を満たしていないことを特定可能に報知する。したがって、この携帯情報端末２、測定システム１００および測定データ処理用プログラムＤｐによれば、「テンプレートデータ」の生成に際して指定した「測定条件」を満たさない測定作業が実施されたことを作業者に対して確実かつ容易に認識させることができるため、過去の「測定作業」によって生成した測定結果データＤ３と一層正確かつ容易に比較可能な測定結果データＤ３を生成することができる。
【００９３】
また、この携帯情報端末２では、処理部２６が、「第４の処理」において、取得した測定値データＤ０に記録されている測定値を測定結果データＤ３として記憶部２７に記憶させずに破棄する。したがって、この携帯情報端末２、測定システム１００および測定データ処理用プログラムＤｐによれば、「テンプレートデータ」の生成に際して指定した「測定条件」を満たさない測定作業による測定値が記録された測定結果データＤ３、すなわち、過去の「測定作業」によって生成した測定結果データＤ３との比較が困難な測定結果データＤ３が生成される事態を確実に回避することができる。
【００９４】
さらに、この携帯情報端末２では、各ブレーカＸを撮像して撮像データＤ２を出力するカメラ２１を備え、処理部２６が、「第１の処理」に先立ち、カメラ２１から出力された撮像データＤ２を「画像データ」として取得する。したがって、この携帯情報端末２、測定システム１００および測定データ処理用プログラムＤｐによれば、ブレーカＸの像（測定対象像）を描いた「画像データ」を生成する煩雑な作業を行うことなく、カメラ２１によって各ブレーカＸを撮像するだけで、各像３２を含む画像３１を携帯情報端末２の表示部２４に容易に表示させることができる。また、ブレーカＸの像を描いた「画像データ」を使用するのとは異なり、実際に測定を行う各ブレーカＸを撮像した撮像データＤ２を「画像データ」として使用して画像３１を表示させることで、マーカー３３の表示位置に基づき、次に測定を行うブレーカＸの位置などを正確かつ容易に把握することができる。
【００９５】
なお、「測定データ処理装置」および「測定システム」の構成や、「測定データ処理用プログラム」の処理内容については、上記の例に限定されない。例えば、カメラ２１によって生成された撮像データＤ２を「画像データ」として使用して画像３１を表示させる構成・処理手順を例に挙げて説明したが、携帯情報端末２に搭載されているカメラ２１とは異なるカメラ（外部装置で構成された撮像装置）によってブレーカＸａ〜Ｘｃ等の「測定対象」を撮像した「撮像データ」や、ブレーカＸａ〜Ｘｃ等の「測定対象」の「測定対象像」を描画した画像データ（測定対象の設計データ等に基づいて生成したベクタ画像データやラスタ画像データ）を「画像データ」として使用することもできる。
【００９６】
また、マーカー３３の表示によって各像３２に対応するブレーカＸの「測定順序」を特定させる表示態様を採用した例について説明したが、各ブレーカＸについての「測定順序」の表示は必須ではなく、いずれの像３２がいずれのブレーカＸに関連付けられているかを特定可能であれば、「測定順序」の特定ができない任意の表示を「測定対象識別用表示」として表示させる表示態様を採用することもできる（図示せず）。この場合、「測定順序」の指定自体を行わない構成・処理方法では、作業者が「測定作業」に際して「測定対象像」を選択することでいずれの「測定対象」についての測定値データＤ０が送信されるかを予め指定したり、処理部２６が「測定作業」時に「測定データ処理用プログラム」に従っていずれかの「測定対象像」を他の「測定対象像」と区別可能な状態で表示させることでいずれの「測定対象」についての測定作業を実施すべきかを指定したりすることで「測定対象」と「測定結果」とを正確に関連付けることができる。
【００９７】
さらに、測定値データＤ０の取得が完了しているか否かを問わず、すべてのブレーカＸの像３２に対応させて「測定対象識別用表示」としてのマーカー３３を表示させる表示態様を採用した例について説明したが、測定値データＤ０の取得が完了したブレーカＸの像３２についてはマーカー３３等の「測定対象識別用表示」を表示させない表示態様（測定値データＤ０の取得が完了したときに、対応する「測定対象識別用表示」を非表示とする表示態様）を採用することもできる。
【００９８】
また、すべての「測定対象（ブレーカＸａ〜Ｘｃ）」に対する１番目から４番目までのすべての測定作業に関して「測定条件」を設定して「テンプレートデータ（測定対象管理用データＤ１）」を生成する例を説明したが、一部の「測定対象」についての「測定条件」だけを設定し、他の「測定対象」についての「測定条件」を設定せずに「テンプレートデータ」を生成したり、すべての「測定対象」についての「測定条件」を設定せずに「テンプレートデータ」を生成したりすることもできる。
【００９９】
さらに、「テンプレートデータ」の生成に際して指定した「測定条件」を満たさない測定値データＤ０については、その値に基づく測定結果データＤ３を生成せずに破棄する構成・処理方法を例に挙げて説明したが、このような構成・方法に代えて、「測定条件」を満たさない測定値データＤ０についても破棄せずに測定結果データＤ３を生成する構成・方法を採用することもできる。このような構成・方法を採用する場合には、取得した測定値データＤ０が「測定条件」を満たさないことを報知する処理、および「測定条件」を満たさない測定値データＤ０に基づいて生成した測定結果データＤ３であることを特定可能な情報を付加する処理の少なくとも一方を実行するのが好ましい。
【０１００】
また、別個独立した測定対象管理用データＤ１および撮像データＤ２を「テンプレートデータ」として生成し、別個独立した測定対象管理用データＤ１、撮像データＤ２および測定結果データＤ３を「測定結果データ」として生成する例について説明したが、撮像データＤ２を内包する測定対象管理用データＤ１を「テンプレートデータ」として生成したり、測定対象管理用データＤ１および撮像データＤ２を内包する測定結果データＤ３を「測定結果データ」として生成したりする構成・処理方法（「テンプレートデータ」を１つのデータファイルで構成したり、「測定結果データ」を１つのデータファイルで構成したりする構成・処理方法）を採用することもできる。
【０１０１】
さらに、「測定データ処理装置」としての携帯情報端末２と「測定装置」としての測定装置１とを別体に構成した測定システム１００を例に挙げて説明したが、「測定データ処理装置」および「測定装置」を一体化した装置（「測定データ処理装置」の構成を一体的に備えた「測定装置」、または、「測定装置」としての機能を一体的に備えた「測定データ処理装置」）で「測定システム」を構成することもできる。
【符号の説明】
【０１０２】
１００  測定システム
１Ａ，１Ｖ  測定装置
２  携帯情報端末
３  データサーバ
２１  カメラ
２２ａ，２２ｂ  通信部
２３  操作部
２４  表示部
２５  スピーカ
２６  処理部
２７  記憶部
３０ａ  支援画面設定用画面
３０ｂ  測定作業支援用画面
３１  画像
３２，３２ａ，３２ｂ・・  像
３３，３３−０１，３３−０２・・  マーカー
４１  測定対象情報表示
４２  測定条件測定結果表示
５０  メッセージ表示部
Ｄ０  測定値データ
Ｄ１  測定対象管理用データ
Ｄ２  撮像データ
Ｄ３  測定結果データ
Ｄｐ  測定データ処理用プログラム
Ｎ  通信ネットワーク
Ｘ，Ｘａ〜Ｘｃ  ブレーカ
Ｙ  配電盤
【図１】
2020034365.tif 000003
【図２】
2020034365.tif 000004
【図３】
2020034365.tif 000005
【図４】
2020034365.tif 000006
【図５】
2020034365.tif 000007
【図６】
2020034365.tif 000008
【図７】
2020034365.tif 000009
【図８】
2020034365.tif 000010
【図９】
2020034365.tif 000011